【手続補正書】
【提出日】平成16年1月20日(2004.1.20)
【手続補正１】
【補正対象書類名】明細書
【補正対象項目名】全文
【補正方法】変更
【補正の内容】
【発明の名称】誘導発熱ローラ装置
【特許請求の範囲】
【請求項１】機台に回転自在に支持され先端部が前記機台から外方へ突出する駆動軸と、前記駆動軸の先端部に連結固定され前記機台から外方へ突出する中空のローラ本体と、前記ローラ本体の中空内に配置された誘導発熱機構とを備えてなる誘導発熱ローラ装置において、前記駆動軸の先端部を前記ローラ本体の前記機台寄り側に連結固定するとともに、前記誘導発熱機構を前記連結固定部よりも外方側の前記ローラ本体の中空内に、前記ローラ本体に対して静止状態で配置してなることを特徴とする誘導発熱ローラ装置。
【請求項２】駆動軸の先端部をローラ本体の機台側端部に連結固定してなることを特徴とする請求項１に記載の誘導発熱ローラ装置。
【請求項３】前記誘導発熱機構を、その一端側を前記ローラ本体に、他端側を前記駆動軸にそれぞれ軸受を介して支持してなることを特徴とする請求項１又は請求項２に記載の誘導発熱ローラ装置。
【請求項４】前記誘導発熱機構を前記駆動軸に軸受を介して支持してなることを特徴とする請求項１又は請求項２に記載の誘導発熱ローラ装置。
【請求項５】前記誘導発熱機構を前記機台に連結支持具を介して支持してなることを特徴とする請求項１又は請求項２に記載の誘導発熱ローラ装置。
【発明の詳細な説明】
【０００１】
【発明の属する技術分野】
本発明は誘導発熱ローラ装置に関する。
【０００２】
【従来の技術】
誘導発熱ローラ装置において、内部を中空としたローラの軸線に沿う一方の端部側からローラ本体の内部に挿入した駆動軸を、ローラ本体の他方の端部側の端部に固定し、この駆動軸の回転によってローラ本体を回転駆動するとともに、ローラ本体の内部に配置された誘導発熱機構を、機台に固定して支持するようにした構成は、すでによく知られている。
【０００３】
このような誘導発熱ローラ装置の従来例を示したのが図７である。同図において、１はローラ本体、７１は駆動軸で、ローラ本体１の内部に挿入されてあり、その先端はローラ本体１にボルトおよびナット７２により固定連結されている。駆動軸７１の他端は、ローラ本体１より外側に導出され、その外側において、機台２に軸受７３を介して回転自在に支持されている。外部に導出された駆動軸７１に、外部から回転駆動力を与えることにより、ローラ本体１は回転される。すなわち、図７に示すようにローラ本体１は、機台２から外方へ突出する先端部で、機台２に回転自在に支持され先端部が機台２から外方へ突出する駆動軸７１の先端部と連結固定されている。
【０００４】
３は誘導発熱機構で、筒状の鉄心４とその外周に巻装されている誘導コイル５とによって構成されている。誘導発熱機構３はホルダー６により支持され、更にホルダー６は機台２に連結部材７４を介して固定されている。７は誘導コイル５のリード線である。駆動軸７１は誘導発熱機構３の内部中心を通っている。なお８はローラ本体１の周壁の肉厚部に設けられたジャケット室で、内部には気液二相の熱媒体が封入されている。
【０００５】
ところでこのように構成された誘導発熱ローラ装置は、合成樹脂製の糸の延伸に使用されることがある。その使用例を示したのが図６である。ここでは、一対の機台２Ａ、２Ｂとが用意されている。各機台には前記のような構成の誘導発熱ローラ装置Ａの複数を千鳥状に設置する。延伸される糸Ｂは各装置Ａに順次添纏されていく。糸Ｂが図示する矢印方向に繰り出されていくとき、繰り出されていく方向にある装置Ａのローラ本体の回転速度が順次早く設定されているので、糸Ｂが各ローラ本体を添纏していく過程で、糸Ｂにテンションが作用して、順次延伸されていく。
【０００６】
このように糸Ｂが延伸されていくとき、その糸Ｂに作用するテンションによってローラ本体には、外方の先端部がテンション方向に向かうようなたわみが発生する。このようなたわみがローラ本体に発生すると、糸の延伸作用に悪影響をおよぼす。またこのたわみが大きくなると、ローラ本体とその内部の誘導コイルとが接触し合って、誘導コイルを損傷してしまうことがある。さらには駆動軸７１を折損してしまうこともある。
【０００７】
このようなたわみの発生を防ぐためには、駆動軸７１として機械的強度の大きいもの、すなわち径の大きいものを使用すればよいが、そのためにはローラ本体なり、誘導発熱機構として、内径の大きいものを使用しなければならない。そのため径の大きい駆動軸の使用が制限されることがある。
【０００８】
【発明が解決しようとする課題】
本発明は、内部に誘導発熱機構を配備するローラ本体のたわみを、ローラ本体および誘導発熱機構の大きさにとらわれることなく、確実に防ぐことを目的とする。
【０００９】
【課題を解決するための手段】
本発明は、機台に回転自在に支持され先端部が前記機台から外方へ突出する駆動軸と、前記駆動軸の先端部に連結固定され前記機台から外方へ突出する中空のローラ本体と、前記ローラ本体の中空内に配置された誘導発熱機構とを備えてなる誘導発熱ローラ装置において、前記駆動軸の先端部を前記ローラ本体の前記機台寄り側に連結固定するとともに、前記誘導発熱機構を前記連結固定部よりも外方側の前記ローラ本体の中空内に、前記ローラ本体に対して静止状態で配置してなることを主要な特徴とする。
【００１０】
駆動軸の先端を、ローラ本体の機台寄り側に連結固定するとともに、前記誘導発熱機構を前記連結固定部よりも外方側のローラ本体の中空内に、ローラ本体に対して静止状態で配置したので、従来のように駆動軸をローラ本体の内部を挿通することなく、ローラ本体を駆動軸によって回転させることができる。したがってローラ本体の内径なり、誘導発熱機構の内径によって制限されることなく、駆動軸として径の大きいものを使用することができる。これによりローラ本体のたわみの発生を阻止するに足る機械的強度を備えた駆動軸の使用が可能となる。
【００１１】
【発明の実施の形態】
本発明の実施態様を図１によって説明する。なお図７と同じ符号を付した部分は同一または対応する部分を示す。本発明にしたがい、ローラ本体１の機台２寄り側の端部１Ａに駆動軸１０の先端部に設けたフランジ１０Ａをあてがい、そのままの状態で両者を、ボルトなどを利用して固定し連結する。駆動軸１０の後端側の外周は、軸受１１を介して機台２に回転自在に取り付けられる。ここではローラ本体に加わる糸によるテンションに基づいてたわみの発生する場合でも、そのたわみを阻止し得る程度の機械的強度を具備する直径をもっている駆動軸１０を使用する。
【００１２】
誘導発熱機構３は、駆動軸１０の無い連結固定部よりも外方側のローラ本体１の中空内部に、ローラ本体１に対して静止状態で支持される。図１に示す例では誘導発熱機構３のホルダー６の前端（外方側の端部）は、ローラ本体１の外端（外方側の端部）を閉塞している磁性板１２に軸受１３を介して支持されている。またホルダー６の後端にはパイプ状の支持具１４が連結されてあり、この支持具１４が駆動軸１０に軸受１５を介して支持されている。すなわち誘導発熱機構３は、その前後を、ローラ本体１の外端と駆動軸１０とによって宙吊り状に支持されている。リード線７は支持具１４の中を通って外部に導出されている。
【００１３】
なお支持具１４は駆動軸１０の後端より外部に延長されている。そしてその延長された先端に、駆動軸１０の回転につられて回転することのないように、回り止め具１５が設けられている。１６は回転トランスで、駆動軸１０と一体に回転する回転側コイル１７と、支持具１４と一体の固定側コイル１８とによって構成されている。これはローラ本体の温度を検出するための温度検出計Ｍからの電気的信号を静止側に伝送するのに利用するためのものであり、温度検出器Ｍと回転側コイル１７とは、リード線Ｌで接続されている。１９は固定側コイル１８からの引出端子である。
【００１４】
図示する構成から理解されるように、駆動軸１０はその先端部に設けたフランジ１０Ａにおいてローラ本体１の機台２寄り側の端部１Ａに当接して連結しているので、従来のように駆動軸をローラ本体の内部に通す必要なく、ローラ本体１を駆動軸１０によって回転駆動させることができる。したがってローラ本体１、誘導発熱機構３の大きさ、すなわちその各内径に制限されることなく、自由に駆動軸１０としてその径を選定することができ、したがってローラ本体１のたわみを抑制し得る機械的強度をこの駆動軸１０に自由に付与することができるようになる。なお、図示する構成では、駆動軸１０の先端をローラ本体１の中空内に嵌め込み、先端部に設けたフランジ１０Ａをローラ本体１の端面にあてがって連結固定しているが、このようなフランジあるいは駆動軸の先端部を誘導発熱機構３と重ならないローラ本体１の機台２寄り側の中空内で連結固定するようにしてもよい。
【００１５】
図１に示す構成は、ローラ本体１の中空内部にあって、誘導発熱機構３をその前後において支持するようにしているが、図２に示す構成では、その後端においてのみ支持するようにしたものである。すなわち図に示すように、ホルダー６の支持具１４を駆動軸１０の内部において複数個所（図の例では２個所）で軸受１５を介して支持している。したがって誘導発熱機構３はその前端が自由端となる。
【００１６】
図１、図２に示す構成では誘導発熱機構３の後端を駆動軸１０により支持するようにしているが、図３に示す構成では、駆動軸１０により支持することなく、その前端のみを機台２に連結し、これにより誘導発熱機構３をローラ本体１の外端側から支持している。具体的にはホルダー６の前端に磁路を兼ねた支持板２０を固定し、これに連結具２１を連結する。連結具２１を、支持具２１Ａを介して機台２に固定することにより、誘導発熱機構３はローラ本体１の中空内部において、その後端（図の例では右側の端部）が自由端となって、静止状態で支持されることになる。この構成ではリード線７は支持板２０を貫通して外部に引き出される。
【００１７】
図４に示す構成は、誘導発熱機構３をその前後において、ローラ本体１、駆動軸１０の外部で機台２に支持することにより、ローラ本体１の中空内部において宙吊り状態で支持した構成である。具体的にはホルダー６の前端に延長具２２を連結し、これに連結具２１を連結する。そして連結具２１は、支持具２１Ａを介して機台２に固定される。ホルダー６の後端につらなる支持具１４は駆動軸１０を貫通し、その外端で支持具２３を介して機台２に固定される。
【００１８】
なお、図３、図４に示す構成のように連結具２１をローラ本体１の外方側の端部側に設置した場合、ローラ本体１に糸Ｂを最初に添纏させる際に邪魔な存在となることがあるが、それを解決するには図５に示すように、糸Ｂが巻きつかない側のローラ周面側に連結具２１を引き出し、その引出端に、連結具２１と機台２にまたがる支持具２１Ａを取り付け、これを機台２に固定すればよい。
【００１９】
【発明の効果】
以上説明したように本発明によれば、誘導発熱機構３を配置しないローラ本体の機台寄り側に駆動軸の先端部を連結し、この駆動軸の後端側を機台に回転自在に支持するようにしたので、従来のように駆動軸をローラ本体の内部に通してローラ本体に連結する必要はなくなり、したがってローラ本体、誘導発熱機構の径に制限されることなく、自在に駆動軸の径を選定することができ、よってローラ本体に生じるたわみの発生をこの駆動軸によって確実に回避することができる効果を奏する。
【図面の簡単な説明】
【図１】本発明の実施態様を示す断面図である。
【図２】本発明の他の実施態様を示す断面図である。
【図３】本発明の更に他の実施態様を示す断面図である。
【図４】本発明の更に他の実施態様を示す断面図である。
【図５】本発明実施態様の部分正面図である。
【図６】本発明の使用例を示す斜視図である。
【図７】従来例を示す断面図である。
【符号の説明】
１  ローラ本体
１Ａ  端部
２  機台
３  誘導発熱機構
１０  駆動軸
１０Ａ  フランジ
【手続補正２】
【補正対象書類名】図面
【補正対象項目名】図２
【補正方法】変更
【補正の内容】
【図２】
2002170659.tif 000001